(57)【要約】  データサービスがワイヤレスデバイス（４２）に提供される許可エリアの規定を可能にするためのネットワークノード（１０）の動作の方法およびその方法を実行するネットワークノード（１０）が本明細書に開示され、該許可エリアは、許可エリア内のトラッキングエリアの事前規定された最大数を含む１つまたは複数の基準によって規定されるサイズを有する。方法は、ワイヤレスデバイス（４２）のアタッチ時に、許可エリアのサイズを規定する１つまたは複数の基準が満たされる限り、ワイヤレスデバイス（４２）の許可エリアに対する新規のトラッキングエリアの登録を受け入れることを含む。【選択図】図７
2019518396.tif 000002
【特許請求の範囲】
【請求項１】
データサービスがワイヤレスデバイス（４２）に提供される許可エリアの規定を可能にするためのネットワークノード（１０）の動作の方法であって、前記許可エリアが、前記許可エリア内のトラッキングエリアの事前規定された最大数を含む１つまたは複数の基準によって規定されるサイズを有し、前記方法が、
前記ワイヤレスデバイス（４２）のアタッチ時に、前記許可エリアの前記サイズを規定する前記１つまたは複数の基準が満たされる限り、前記ワイヤレスデバイス（４２）の前記許可エリアに対する新規のトラッキングエリアの登録を受け入れること
を含む、方法。
【請求項２】
前記登録を受け入れることは、前記ワイヤレスデバイス（４２）の前記許可エリアに対して既に受け入れられているトラッキングエリアの数が前記許可エリア内の前記トラッキングエリアの事前規定された最大数に満たない場合、新規のトラッキングエリアの登録を受け入れることを含む、請求項１に記載の方法。
【請求項３】
前記ワイヤレスデバイス（４２）の前記許可エリアに対して既に受け入れられている前記トラッキングエリアの数が前記許可エリア内の前記トラッキングエリアの事前規定された最大数以上である場合、新規のトラッキングエリアの登録を拒否することをさらに含む、請求項１または２に記載の方法。
【請求項４】
前記ワイヤレスデバイス（４２）のデタッチ時に、前記ワイヤレスデバイス（４２）の前記許可エリアを再設定することをさらに含む、請求項１から３のいずれか一項に記載の方法。
【請求項５】
前記ワイヤレスデバイス（４２）のデタッチ後、前記ワイヤレスデバイス（４２）の再アタッチ時に前記ワイヤレスデバイス（４２）の前記許可エリアを再設定することをさらに含む、請求項１から３のいずれか一項に記載の方法。
【請求項６】
前記ワイヤレスデバイス（４２）の前記許可エリアの一部はネットワークオペレータによって設定される、請求項１から５のいずれか一項に記載の方法。
【請求項７】
前記ワイヤレスデバイス（４２）の前記許可エリアの一部はネットワークノード（１０）によって設定される、請求項１から６のいずれか一項に記載の方法。
【請求項８】
１つまたは複数のトラッキングエリアがネットワークノード（１０）によって前記ワイヤレスデバイス（４２）の前記許可エリアに追加される、請求項１から７のいずれか一項に記載の方法。
【請求項９】
前記ワイヤレスデバイス（４２）の前記許可エリアに関する情報を記憶することをさらに含む、請求項１から８のいずれか一項に記載の方法。
【請求項１０】
前記ワイヤレスデバイス（４２）の前記許可エリアに関する情報を別のネットワークノード（１０）に提供することをさらに含む、請求項１から９のいずれか一項に記載の方法。
【請求項１１】
データサービスがワイヤレスデバイス（４２）に提供される許可エリアの規定を可能にするネットワークノード（１０）であって、前記許可エリアが、前記許可エリア内のトラッキングエリアの事前規定された最大数を含む１つまたは複数の基準によって規定されるサイズを有し、前記ネットワークノード（１０）が、
前記ワイヤレスデバイス（４２）のアタッチ時に、前記許可エリアのサイズを規定する前記１つまたは複数の基準が満たされる限り、前記ワイヤレスデバイス（４２）の前記許可エリアに対する新規のトラッキングエリアの登録を受け入れる
ように動作的に適応される、ネットワークノード（１０）。
【請求項１２】
前記ネットワークノード（１０）は、請求項２から１０のいずれか一項に記載の方法に従って動作するようにさらに適応される、請求項１１に記載のネットワークノード（１０）。
【請求項１３】
データサービスがワイヤレスデバイス（４２）に提供される許可エリアの規定を可能にするネットワークノード（１０）であって、前記許可エリアが、前記許可エリア内のトラッキングエリアの事前規定された最大数を含む１つまたは複数の基準によって規定されるサイズを有し、前記ネットワークノード（１０）が、
少なくとも１つのプロセッサ（１４）と、
前記少なくとも１つのプロセッサ（１４）によって実行可能である命令を記憶するメモリ（１６）と、を含み、
これによって、前記ネットワークノード（１０）が、前記ワイヤレスデバイス（４２）のアタッチ時に、前記許可エリアの前記サイズを規定する前記１つまたは複数の基準が満たされる限り、前記ワイヤレスデバイス（４２）の前記許可エリアに対する新規のトラッキングエリアの登録を受け入れるように動作可能である、
ネットワークノード（１０）。
【請求項１４】
データサービスがワイヤレスデバイス（４２）に提供される許可エリアの規定を可能にするネットワークノード（１０）であって、前記許可エリアが、前記許可エリア内のトラッキングエリアの事前規定された最大数を含む１つまたは複数の基準によって規定されるサイズを有し、前記ネットワークノード（１０）が、
前記ワイヤレスデバイス（４２）のアタッチ時に、前記許可エリアのサイズを規定する前記１つまたは複数の基準が満たされる限り、前記ワイヤレスデバイス（４２）の前記許可エリアに対する新規のトラッキングエリアの登録を受け入れるように動作可能である登録処理モジュール（４０）
を含む、ネットワークノード（１０）。
【発明の詳細な説明】
【技術分野】
【０００１】
本開示は、移動体通信ネットワークにおいてユーザ機器デバイス（ＵＥ）のための許可エリアを割り当てるまたは規定することに関する。
【背景技術】
【０００２】
第３世代パートナーシッププロジェクト（３ＧＰＰ）ＳＡ２には、第５世代（５Ｇ）モバイルネットワークを研究する作業項目（ＷＩ）研究、ＦＳ＿ＮｅｘｔＧｅｎがある。３ＧＰＰの進歩は、今のところ熟していない。アーキテクチャはまだ規定されていない。
【０００３】
３ＧＰＰ技術報告（ＴＲ）２３．７９９ｖ０．４．０（２０１６−４）第４．１項「Ｈｉｇｈ  ｌｅｖｅｌ  Ａｒｃｈｉｔｅｃｔｕｒｅ  Ｒｅｑｕｉｒｅｍｅｎｔｓ」には、「『Ｎｅｘｔ  Ｇｅｎ』ネットワークのアーキテクチャは、
１．新規のＲＡＴ、エボルブドＬＴＥ、および非３ＧＰＰアクセスタイプをサポートするものとする。ＧＥＲＡＮおよびＵＴＲＡＮはサポートされない。
ａ）非３ＧＰＰアクセスタイプの一部分として、ＷＬＡＮアクセスおよび固定アクセスがサポートされるものとする。衛星アクセスについてのサポートはＦＦＳである。」と述べられている。
【０００４】
現在、図１に示される、ＳＡ２  ＃１１４（２０１６年４月）において承認されたアーキテクチャの「初期高レベルビュー」（Ｎｏｋｉａら、「Ｓ２−１６２１４６：Ａｒｃｈｉｔｅｃｔｕｒｅ  Ｒｅｑｕｉｒｅｍｅｎｔｓ、Ｐｒｉｎｃｉｐｌｅｓ  ａｎｄ  Ａｓｓｕｍｐｔｉｏｎ：Ｒｅｆｅｒｅｎｃｅ  ａｒｃｈｉｔｅｃｔｕｒｅ  ｍｏｄｅｌ  ｂａｓｅｄ  ｏｎ  ａｓｓｕｍｐｔｉｏｎｓ」、ＳＡ  ＷＧ２  Ｍｅｅｔｉｎｇ  ＃Ｓ２−１１４、２０１６年４月１１〜１５日）が存在する。
【０００５】
Ｅｒｉｃｓｓｏｎは、この会議で取り扱われなかったＳＡ２  ＃１１５会議に対してリファレンスアーキテクチャ（Ｒｅｆｅｒｅｎｃｅ  ａｒｃｈｉｔｅｃｔｕｒｅ）に関して貢献した（Ｅｒｉｃｓｓｏｎ、「Ｓ２−１６２５０２：Ｃｏｒｅ  Ｎｅｔｗｏｒｋ  Ａｒｃｈｉｔｅｃｔｕｒｅ＆Ｆｕｎｃｔｉｏｎａｌ  Ａｌｌｏｃａｔｉｏｎ」、ＳＡ  ＷＧ２  Ｍｅｅｔｉｎｇ  ＃１１５、２０１６年５月２３〜２７日）。図２〜図５はこの寄書によるものである。
【０００６】
次世代（ＮＧ）サブスクライバデータ管理（ＮＧ  ＳＤＭまたはＳＤＭ）は、オペレータのサブスクライバについての全ての情報を含むサブスクリプション情報記憶である。サブスクライバがネットワークに接続する時、サブスクリプション情報はＳＤＭから検索される。ローミングシナリオでは、サーブするオペレータは、ホームオペレータのネットワークにあるサブスクリプション情報を検索する。ＳＤＭは、ホームサブスクライバサーバ（ＨＳＳ）またはホームロケーションレジスタ（ＨＬＲ）と同様であると考えることができ、１番目のものはＬｏｎｇ  Ｔｅｒｍ  Ｅｖｏｌｕｔｉｏｎ（ＬＴＥ）／エボルブドパケットシステム（ＥＰＳ）に対して使用され、２番目のものはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）／Ｅｎｈａｎｃｅｄ  Ｄａｔａ  Ｒａｔｅｓ  ｆｏｒ  ＧＳＭ  Ｅｖｏｌｕｔｉｏｎ（ＥＤＧＥ）無線アクセスネットワーク（ＧＥＲＡＮ）およびユニバーサル地上無線アクセスネットワーク（ＵＴＲＡＮ）に対して使用される。
【０００７】
ＮＧポリシ制御（ＮＧ  ＰＣ）は、ＧＥＲＡＮ、ＵＴＲＡＮ、および拡張ＵＴＲＡＮ（Ｅ−ＵＴＲＡＮ）に対して使用されるポリシ課金ルール機能（ＰＣＲＦ）と同様の機能である。
【０００８】
ＮＧコア制御（ＮＧ  ＣＣ）は、コアネットワーク（ＣＮ）の制御プレーンを表し、モビリティ管理エンティティ（ＭＭＥ）と同様の機能性、また、Ｅ−ＵＴＲＡＮにおける、サービングゲートウェイ（Ｓ−ＧＷ）およびパケットデータネットワーク（ＰＤＮ）ゲートウェイ（Ｐ−ＧＷ）の制御プレーンを有する。
【０００９】
トラフィックハンドリング機能（ＴＨＦ）は、ＣＮの制御プレーンの一部分を表し、Ｅ−ＵＴＲＡＮにおけるＭＭＥのモビリティ部分と同様の機能性を有する。
【００１０】
接続ハンドリング機能（ＣＨＦ）は、ＣＮの制御プレーンの他の部分だけでなく、ＣＮのユーザプレーンも表し、Ｅ−ＵＴＲＡＮにおけるＭＭＥのセッション部分、およびＥ−ＵＴＲＡＮにおけるＳ−ＧＷおよびＰ−ＧＷの制御プレーン部分と同様の機能性を有する。
【００１１】
ＴＨＦおよびＣＨＦはＮＧ  ＣＣと同じ機能性を有する。
【００１２】
ＧＥＲＡＮおよびＵＴＲＡＮが、５Ｇにおいてサポートされておらず、また本出願にも含まれていないことは留意されたい。
【００１３】
「要求に応じたモビリティ」の概念は、３ＧＰＰ  ＴＲ  ２３．７９９（Ｖ０．４．０）において、重要問題＃３「モビリティフレームワーク」：
「−  種々のレベルのモビリティに対する要求に応じたモビリティをサポートする方法。種々のレベルのモビリティサポートについての可能な例は：
−  単一のＲＡＮノード内の既定エリア（ｅＮｏｄｅＢのセルなど）にわたるサポート。
−  単一のＲＡＮノード（ｅＮｏｄｅＢなど）内のサポート。
−  ＵＥ登録エリア（ＥＰＣにおけるＴＡなど）におけるサポート。
−  制御プレーンまたはユーザプレーンＣＮエンティティのサービスエリア（ＥＰＣにおけるＭＭＥプールエリアまたはサービングＧＷサービスエリアなど）におけるサポート。
−  既定のＲＡＴ、またはＲＡＮレベルにおいて統合されたＲＡＴの組み合わせ（ＬＴＥおよび５Ｇ  ＲＡＴなど）の範囲内のサポート。
−  ２つのアクセス技術の間のサポート。
注記：ＲＡＮにおけるモビリティ制限に関する研究は、ＲＡＮ作業グループと共に行われることになる。
−  例えば、どの特性／方法か、どの基準かによって、ＵＥモビリティサポートのレベルを判断する方法、および
−  ＵＥのモビリティの適切なレベルを判断するために、情報（例えば、アプリケーションの必要性、デバイスＵＥ能力、使用されるサービス）を得る方法。」について、および、
重要問題＃６「セッションおよびサービス連続性に対するサポート」：
「種々のアプリケーションおよびサービスの具体的な必要性に対処するために、モバイルネットワークの次世代システムアーキテクチャは、重要問題３において規定されたモビリティフレームワークの要求に応じたモビリティの概念に基づいて、種々のレベルのデータセッション連続性またはサービス連続性をサポートするものとする」について、含まれる。
【００１４】
承認されたＳＡ２  ＃１１５寄書Ｓ２−１６３１６４（Ｅｒｉｃｓｓｏｎ、「Ｓ２−１６３１６４：Ｓｏｌｕｔｉｏｎ  ｏｎ  Ｍｏｂｉｌｉｔｙ  ｏｎ  Ｄｅｍａｎｄ」、ＳＡ  ＷＧ２  Ｍｅｅｔｉｎｇ  ＃１１５、２０１６年５月２３〜２７日）は、モビリティクラスを３ＧＰＰ  ＴＲ２３．７９９におけるソリューションに導入している：
「６．３ｘ．２．１  モビリティクラス：サブスクライバに対する許可された地理的エリアのサイズをいくつかのサブレンジに分割することによって、例えば、以下のモビリティクラスを形成することが可能である：
Ａ．無制限（または高）モビリティ
−  例えば、ＭＢＢユーザによって使用される許可された地理的エリアに対する規制はない（またはわずかである）。
Ｂ．低モビリティ
−  許可された地理的エリアは、例えば、不動のサブスクライバに対して使用されるように、限定される。サイズは、例えば、５ＴＡに限定される可能性がある。
Ｃ．モビリティなし
−  許可された地理的エリアは、例えば、（可能なモビリティを有する自身のアクセスネットワークを有する）固定点を介してのみネットワークにアクセスするユーザに対して使用されるように、限定される。サイズは、例えば、１ＴＡに限定される可能性がある。」
【発明の概要】
【００１５】
モビリティクラスは許可エリア（ＡＡ）のサイズのみを規定しているため、ＵＥがどこでサービスを受けることができるのかについて何も触れていない。このような規制がないと（すなわち、許可されたトラッキングエリア（ＴＡ）を規定しないと）、アサインされたモビリティクラスは、ＵＥがいずれにしてもその時点で２つ以上のＴＡを占有しないため、ＵＥのモビリティに対していずれの制限も加えないことになる。したがって、エリアのサイズだけでなく、実際のＡＡも規定する必要がある。
【００１６】
ＵＥのためのＡＡは、必ずしも連続エリアである必要はなく、例えば、居住地用の１つのエリア、および夏の別荘用の１つのエリアを持つデジタルサブスクライバライン（ＤＳＬ）の置き換えのために、ＡＡは２つの下位区分に分けられることも留意されたい。
【００１７】
大量のＵＥおよびそれら各自のＡＡのため、これらがオペレータによって静的に規定されるかどうか、またはＵＥの登録試行による支援によって動的に規定されるかどうかにかかわらず、ＡＡを規定することはかなり容易でなければならない。
【００１８】
３つの異なるソリューションについて説明する。しかしながら、いくつかのシナリオには、ソリューション１はソリューション３をオプションとして補うものであると考えらえることは、留意されたい。
【００１９】
ソリューション１は、サブスクリプションデータベースにおけるＡＡのサブスクライバごとの事前設定に基づいている。ＡＡはオプションとして、ＮＧ  ＰＣによって調節される。
【００２０】
ソリューション２は、下位区分の数およびこれらの対応するサイズを有するサブスクライバごとの事前設定に基づいている。エンドユーザによる支援によって、実際のエリアは、ＵＥにおいて設定され、ＣＮに提供され、サブスクリプションデータベースに記憶される。
【００２１】
ソリューション３は、ＵＥによって行われる動的かつ一時的な規定に基づいている。ＵＥによって使用され、かつＣＮに提供されるＡＡ規定は、ＵＥがアタッチされる限りにおいてのみ妥当である。デタッチ時に、いずれの先のＡＡ規定も消去されることになり、アタッチ時に、新規のＴＡは、ＴＡの最大許容数に達するまで、新規のＡＡ規定に自動的に追加されることになる。このソリューションはまた、ＡＡの数のサブスクライバごとの事前設定に基づいている。オペレータは、ソリューション１にあるように、オプションとして、サブスクリプションデータベースにおいて、サブスクライバに対するＡＡの全てまたは一部分を設定してもよい。この事前設定されたＡＡは、アタッチ受け入れ時にＵＥに提供され、かつＵＥによって使用されるＡＡに対するベースを形成する。ＮＧ  ＰＣは、オプションとして、ＡＡの一部分のみがサブスクリプションデータベースにおいて設定される場合にＴＡを事前設定されたＡＡに追加してよい。
【００２２】
このソリューションの利点は、このソリューションが運用管理（Ｏ＆Ｍ）の観点から非常に容易であることである。これによって、オペレータは、これが実現可能である時、かつ、手順がＵＥに対するＡＡ規定を自動的に対応しない場合、事前設定されたＡＡを使用することが可能になる。この欠点は、事前設定されたＡＡなしで、ユーザは、デタッチおよび再アタッチが行われる限りどこでもサービスを受けてもよいことであるが、これは同時に、これによって、例えば、居住地のための１つのエリアおよび夏の別荘のための別のエリアを持つノマディックＤＳＬの置き換えのために、２つ以上のエリアの動作を必要とするＵＥにとってのソリューションとなるため、利点である。
【００２３】
これらのソリューションによって、ＵＥに対する許可エリアのアサインについてのいくつかのフレームワークが可能になる。許可エリアに対するＴＡの静的および動的割り当ての方法は両方とも、これらの組み合わせと共に説明される。
【００２４】
このソリューションのいくつかの実施形態は、データサービスがワイヤレスデバイスに提供される許可エリアの規定を可能にするためのネットワークノードの動作の方法を対象とし、該許可エリアは、許可エリア内のトラッキングエリアの事前規定された最大数を含む１つまたは複数の基準によって規定されるサイズを有する。方法は、ワイヤレスデバイスのアタッチ時に、許可エリアのサイズを規定する１つまたは複数の基準が満たされる限り、ワイヤレスデバイスの許可エリアに対する新規のトラッキングエリアの登録を受け入れることを含む。
【００２５】
このソリューションのいくつかの他の実施形態は、データサービスがワイヤレスデバイスに提供される許可エリアの規定を可能にするネットワークノードを対象とし、該許可エリアは、許可エリア内のトラッキングエリアの事前規定された最大数を含む１つまたは複数の基準によって規定されるサイズを有する。ネットワークノードは、ワイヤレスデバイスのアタッチ時に、許可エリアのサイズを規定する１つまたは複数の基準が満たされる限り、ワイヤレスデバイスの許可エリアに対する新規のトラッキングエリアの登録を受け入れるように動作的に適応される。
【００２６】
このソリューションのいくつかの他の実施形態は、データサービスがワイヤレスデバイスに提供される許可エリアの規定を可能にするネットワークノードを対象とし、該許可エリアは、許可エリア内のトラッキングエリアの事前規定された最大数を含む１つまたは複数の基準によって規定されるサイズを有する。ネットワークノードは、少なくとも１つのプロセッサと、少なくとも１つのプロセッサによって実行可能である命令を記憶することによって、ネットワークノードが、ワイヤレスデバイスのアタッチ時に、許可エリアのサイズを規定する１つまたは複数の基準が満たされる限り、ワイヤレスデバイスの許可エリアに対する新規のトラッキングエリアの登録を受け入れるように動作可能である、メモリとを含む。
【００２７】
このソリューションのいくつかの他の実施形態は、データサービスがワイヤレスデバイスに提供される許可エリアの規定を可能にするネットワークノードを対象とし、該許可エリアは、許可エリア内のトラッキングエリアの事前規定された最大数を含む１つまたは複数の基準によって規定されるサイズを有する。ネットワークノードは、ワイヤレスデバイスのアタッチ時に、許可エリアのサイズを規定する１つまたは複数の基準が満たされる限り、ワイヤレスデバイスの許可エリアに対する新規のトラッキングエリアの登録を受け入れるように動作可能である登録処理モジュールを含む。
【００２８】
当業者は、添付の図面に関連した実施形態の以下の詳細な説明を読むことで、本開示の範囲を理解し、かつ本開示の追加の態様を認識するであろう。
【００２９】
本明細書の一部分に組み込まれかつこれを形成する添付の図面は、本開示のいくつかの態様を示しており、この記載と共に、本開示の原理を説明する役割を果たす。
【図面の簡単な説明】
【００３０】
【図１】ＮＧネットワークアーキテクチャを示す図である。
【図２】非ローミングの機能的なリファレンスアーキテクチャを示す図である。
【図３】非ローミングの分散したユーザプレーン配置を示す図である。
【図４】ローミング（ホームルーティング）を示す図である。
【図５】ローミング（訪問先地上波公共移動通信ネットワーク（Ｖｉｓｉｔｅｄ  Ｐｕｂｌｉｃ  Ｌａｎｄ  Ｍｏｂｉｌｅ  Ｎｅｔｗｏｒｋ）（ＶＰＬＭＮ）におけるローカルブレイクアウト）を示す図である。
【図６Ａ】本開示のいくつかの実施形態によるさまざまなシナリオ例を示す図である。
【図６Ｂ】本開示のいくつかの実施形態によるさまざまなシナリオ例を示す図である。
【図６Ｃ】本開示のいくつかの実施形態によるさまざまなシナリオ例を示す図である。
【図６Ｄ】本開示のいくつかの実施形態によるさまざまなシナリオ例を示す図である。
【図６Ｅ】本開示のいくつかの実施形態によるさまざまなシナリオ例を示す図である。
【図６Ｆ】本開示のいくつかの実施形態によるさまざまなシナリオ例を示す図である。
【図６Ｇ】本開示のいくつかの実施形態によるさまざまなシナリオ例を示す図である。
【図６Ｈ】本開示のいくつかの実施形態によるさまざまなシナリオ例を示す図である。
【図６Ｉ】本開示のいくつかの実施形態によるさまざまなシナリオ例を示す図である。
【図７】本開示のいくつかの実施形態によるネットワークノードの動作を示す図である。
【図８】ネットワークノードの例示の実施形態を示す図である。
【図９】ネットワークノードの例示の実施形態を示す図である。
【図１０】ネットワークノードの例示の実施形態を示す図である。
【図１１】ＵＥの例示の実施形態を示す図である。
【図１２】ＵＥの例示の実施形態を示す図である。
【発明を実施するための形態】
【００３１】
以下に示される実施形態は、当業者がこれらの実施形態を実践できるようにするための情報を表し、かつこれらの実施形態を実践する最良の形態を示す。添付の図面を考慮して以下の説明を読むことで、当業者は、本開示の概念を理解し、特に本明細書において対処されていないこれらの概念の応用を認識するであろう。これらの概念および応用が本開示の範囲内にあることは理解されるべきである。
【００３２】
無線ノード：本明細書で使用される場合、「無線ノード」は無線アクセスノードまたはワイヤレスデバイスのどちらかである。
【００３３】
無線アクセスノード：本明細書で使用される場合、「無線アクセスノード」は信号をワイヤレスで送信および／または受信するように動作する移動体通信ネットワークの無線アクセスネットワークにおける任意のノードである。無線アクセスノードのいくつかの例として、基地局（例えば、３ＧＰＰ  ＬＴＥネットワークにおける拡張またはエボルブドＮｏｄｅ  Ｂ（ｅＮＢ））、高出力またはマクロ基地局、低出力基地局（例えば、マイクロ基地局、ピコ基地局、またはホームｅＮＢなど）、および中継ノードが挙げられるが、これらに限定されない。
【００３４】
コアネットワークノード：本明細書で使用される場合、「コアネットワークノード」はＣＮにおける任意のタイプのノードである。コアネットワークノードのいくつかの例として、例えば、ＭＭＥ、Ｐ−ＧＷ、Ｓｅｒｖｉｃｅ  Ｃａｐａｂｉｌｉｔｙ  Ｅｘｐｏｓｕｒｅ  Ｆｕｎｃｔｉｏｎ（ＳＣＥＦ）、ＴＨＦ、ＣＨＦ制御プレーン（ＣＨＦ−Ｃ）、ＣＨＦユーザプレーン（ＣＨＦ−Ｕ）、ＳＤＭ、ＮＧ  ＰＣ、または機器識別レジスタ（ＥＩＲ）などが挙げられる。
【００３５】
ワイヤレスデバイス：本明細書で使用される場合、「ワイヤレスデバイス」は「ＵＥ」と区別せずに使用される。用語「ワイヤレスデバイス」および「ＵＥ」は、本明細書では、無線アクセスノードに信号をワイヤレスで送信および／または受信することによって移動体通信ネットワークにアクセスしている（すなわち、これによってサーブされる）任意のタイプのデバイスに言及するために使用される。ワイヤレスデバイスのいくつかの例として、３ＧＰＰネットワークにおける３ＧＰＰ  ＬＴＥ  ＵＥ（または、ＮＧネットワークにおける同様のデバイス）およびマシン型通信（ＭＴＣ）デバイスが挙げられるが、これらに限定されない。
【００３６】
ネットワークノード：本明細書で使用される場合、「ネットワークノード」は、無線アクセスネットワーク、または移動体通信ネットワーク／システムのＣＮのどちらかの一部分である任意のノードである。
【００３７】
本明細書に示される説明は３ＧＰＰ移動体通信システムに重点を置いており、そのため、３ＧＰＰの専門用語または３ＧＰＰの専門用語と同様の専門用語がしばしば使用される。しかしながら、本明細書に開示される概念は３ＧＰＰシステムに限定されない。
【００３８】
本明細書における説明において、用語「セル」に言及する場合があるが、特に５Ｇ概念に関してセルの代わりにビームが使用される場合があり、そのため、本明細書に説明される概念がセルおよびビーム両方に等しく適用可能であることに留意することが重要であることは、留意されたい。
【００３９】
モビリティクラスはＡＡのサイズのみを規定しているため、ＵＥがどこでサービスを受けることが可能であるかについて何も触れていない。このような規制がないと（すなわち、許可されたＴＡまたは類似のものを規定しないと）、アサインされたモビリティクラスは、ＵＥがいずれにしてもその時点で２つ以上のＴＡを占有しないため、ＵＥのモビリティに対していずれの制限も加えないことになる。したがって、エリアのサイズだけでなく、実際のＡＡも規定する必要がある。
【００４０】
また、ＵＥのためのＡＡは必ずしも連続エリアである必要はなく、例えば、居住地用の１つのエリア、および夏の別荘用の１つのエリアへのＤＳＬの置き換えのために、ＡＡが２つの下位区分に分けられることは、留意されたい。
【００４１】
大量のＵＥおよびそれら各自のＡＡのため、これらがオペレータによって静的に規定されるかどうか、またはＵＥの登録試行による支援によって動的に規定されるかどうかにかかわらず、ＡＡを規定することはかなり容易でなければならない。
【００４２】
ＡＡの規定において、完璧とは言えないＡＡをもたらす誤りを生じさせる危険性があるため、補正を可能にする機構を使用することが必要である。同時に誤用が防止されなければならない。サブスクライバがこれらのＡＡを補正することが可能にされる場合、補正機構は、変更の間、ユーザからのある程度の尽力またはいくらかのサービスの低下を負わせざるを得ないか、さもなければ、規制に基づくいずれの地理的に認識されるアサインされたモビリティクラスも導入しないようにする。このような制約がなければ、低モビリティクラスのサブスクリプションが購入され得るが、ＵＥは依然としてどこでもフルサービスで使用される。
【００４３】
ＡＡのＴＡを規定する時、機構は、ＴＡの追加が意図したものであること、または、誤りを補正することが容易であること、のいずれかをかなりの程度保証しなければならない。誤りを生じるのが容易であるほど、その誤りを補正するのが容易でなければならないという均衡がある。
【００４４】
いくつかのソリューションについて以下で説明する。これらのソリューションは別個に説明されるが、任意の特定の実装形態に対して必要に応じてまたは要望通りに組み合わせられてよいことに留意されたい。
【００４５】
ソリューション１
１つのソリューションは、オペレータに、サブスクリプションデータベースにおいて低モビリティクラスを有するまたはモビリティクラスを有さないそれぞれのＵＥに対してＡＡを設定させた後、オプションとして、ＮＧ  ＰＣまたは同様のポリシ制御機能によってＡＡを調節することが考えられる。
【００４６】
さらにまた、利点として、ＡＡが、存在するＴＡと同じ数だけの下位区分に分けられ得ること、および全ての変更はオペレータを通さなければならないため誤用がほぼ不可能になることが考えられる。
【００４７】
しかしながら、多くの据置き型モノのインターネット（ＩｏＴ）デバイスでは、これは、オペレータにとって大変なＯ＆Ｍタスクとなり、サブスクリプションを売る時に既にそれぞれのデバイスに対する動作の厳密な位置を知っていることは必ずしも可能とは限らない。ローミングが許可されたＵＥが、訪問先ネットワークにおいて許可エリアにおけるＴＡを知ることも困難である可能性がある。
【００４８】
このソリューションは、例えば、オペレータがＵＥの動作の厳密な位置を知っている場合は特に有用である場合がある。
【００４９】
ソリューション２
別のソリューションは、登録時に、ＵＥを、ＡＡにおけるいくつかの許可された下位区分、および下位区分ごとの許可されたＴＡまたは類似のものの数にアサインすることが考えられる。
【００５０】
この情報は、ＳＤＭ、または同様のサブスクリプションデータ記憶もしくはサブスクリプションデータベースによって提供され、オプションとして、ＮＧ  ＰＣまたは同様のポリシ制御機能によって調節される。ＵＥは、どこでも登録が可能となるが、ＡＡに含まれるＴＡまたは類似のものにおけるデータサービスを使用することのみ可能になることが考えられる。ＴＡまたは類似のものをＡＡに追加するために、ユーザは、設定によって、最初に、手順を開始し、使用する下位区分を特定し、その後、それぞれが、アタッチ、またはＴＡ更新（ＴＡＵ）もしくは類似のものを終えた後に、現在のＴＡまたは類似のものをＡＡの特定された下位区分に追加することを受け入れるまたは拒否する。ＴＡはさらにまた、サブスクリプションデータベースに記憶される必要があることも考えられる。
【００５１】
新規のＴＡまたは類似のものを追加することは、ＴＡの最大数または類似のものが追加されるまで、または、ユーザが、設定によって、ＡＡの別の下位区分に対して手順を停止するまたは規定手順を開始するまで、継続することになる。
【００５２】
受け入れられないＴＡまたは類似のものでは、ＵＥは、データサービスの使用が可能にならず、サービス要求または類似のものはモバイル終端（ＭＴ）データと共に拒否されることになる。
【００５３】
登録時に、ＵＥは、このＡＡの記憶された規定が提供されることになる。これは、ＳＤＭまたは類似のものから、例えば、ＴＨＦを介して、サブスクリプションデータがサブスクリプションデータベースからフェッチされる時はいつもＵＥに提供される。ＡＡの規定においてホームネットワークおよび訪問先ネットワークの両方からのＴＡまたは類似のものを含むことが可能になる。誤って追加されたＴＡまたは類似のものについて、ホームオペレータが記憶されたＡＡを変更することによって補正することが可能になる。
【００５４】
図６Ａ〜図６Ｉの図表は、ＵＥがソリューション２のさまざまな実施形態に対する種々のサブエリアをどのように設定かつ選択するのかを示す。しかしながら、多くのシナリオが示されるが、本開示がこれらに限定されないことは留意されたい。さらに、いくつかの実施形態では、図６Ａ〜図６Ｉに示されるステップの全てが行われるとは限らない。図６Ａ〜図６Ｉの図表は、ＵＥが種々のＴＡに登録するいくつかのシナリオを示し、サブスクライバが具体的なサブエリアに含まれることが可能になった場合、ＴＡはサブスクライバによって決定されるサブエリアにアタッチされ得る。また、ＵＥにおける設定されたサブエリアまたは許可エリアがどのようにネットワークノードに送られかつＴＨＦに記憶されるのかが示される。ＴＨＦの変更時に、記憶された情報はソースおよびターゲットＴＨＦの間で、および、ＳＤＭからターゲットＴＨＦに送られる。
【００５５】
このソリューションによる利点は、ＡＡがエンドユーザによって規定されること、および、ＴＡを追加することがエンドユーザによって（すなわち、意図的に）必ず認知されることである。先のソリューションにあるように、ＡＡは、ＴＡがある分だけ下位区分に分けられる可能性があり、全ての補正はオペレータを通さなければならないため誤用がほぼ不可能になる。
【００５６】
エンドユーザに手順を開始させた後、全てのＴＡを認知することは、一部のユーザにとってあまりにも厄介である場合がある。現在の位置においてサービスを受ける見込みによりＴＡが不正確に追加される危険性もあるが、代わりに、少数の受け入れられるＴＡをより貴重な位置に残しておくようにする。
【００５７】
簡易なＩｏＴデバイスに対する配置費用を最小限に抑えるために、人間による介入は最小限に抑えられるべきである。これらのＡＡを規定することは、自動的に行われる、例えば、アタッチ時のそれらのエリアのみに対する規定手順を開始する必要があり、さらにまた、ＴＡの最大数に達するまでいずれのＴＡも単に受け入れる必要がある。ＩｏＴデバイスが別の位置に移動させられるべきである場合、オペレータによる介入を必要とするＡＡは再設定される必要がある。
【００５８】
上記から分かるように、相当数の不正確なＡＡ規定、ヘルプデスクへの電話、および最終的にはこれらを補正するためのオペレータによる介入のリスクがある。
【００５９】
ソリューション３
ＵＥがアタッチする度に規定手順を開始すること、およびさらにまた、ＴＡの最大数に達するまで新規のＴＡまたは類似のものを全て受け入れることによって、自動的なＡＡ規定手順がもたらされる。ＴＡの最大数はＳＤＭによって提供され、かつオプションとして、ＮＧ  ＰＣによって調節される。ＡＡが完全に規定される（すなわち、ＴＡの最大数に達する）と、ＵＥは新規のＴＡにおける登録を試行する時に拒否されることになる。誤ってＴＡが追加されることは、デタッチ後再アタッチすることによってＡＡが新たに再始動することによって、容易に対応される。ＣＮノードの変更時に、ＡＡ規定は、インターフェースが存在する場合、古いノードから新規のノードに移行され、その他の場合、ＵＥは（従来通りに）再アタッチせざるを得なくなる。許可されたＴＡは種々のＣＮノードによってサーブされてよい。
【００６０】
オプションとして、オペレータがＵＥに対するＡＡの全てまたは一部分を設定および記憶することを可能にするものとする。事前設定されたＡＡは、アタッチ受け入れメッセージにおいてＵＥに移行される。オプションとして、サービングネットワークにおけるＮＧ  ＰＣは、ＡＡの一部分のみがサブスクリプションデータベースに規定される場合にＴＡを追加してよい。このオプションはまた、何らかのやり方で特徴を誤用している（例えば、デタッチおよびアタッチを繰り返し行っている）ＵＥのモビリティを限定するためにオペレータによって使用可能である。オペレータはさらにまた、ＵＥに対する静的なＡＡを設定することが可能である。
【００６１】
この点において、図７は、ソリューション３の１つの例を示している。この例では、ネットワークノード（例えば、ＴＨＦ）は、ＵＥのアタッチ時に、ＵＥのＡＡの最大サイズを規定する１つまたは複数の基準が満たされる限り、ＵＥのＡＡに対する新規のＴＡまたは類似のものの登録を受け入れるように動作する。ＵＥのＡＡの最大サイズを規定する１つまたは複数の基準は、上述されるように、ＡＡ内のＴＡまたは類似のものの最大数を含んでよい。ＵＥがアタッチされると、いくつかの実施形態では、ＵＥはＡＡ内にＴＡまたは類似のものを含む。ネットワークノード（例えば、ＴＨＦ）はさらにまた、ＡＡに対して許可されたＴＡの最大数に基づいて登録を受け入れるまたは拒否する（すなわち、そのＡＡに既に登録されているＴＡまたは類似のものの数が最大値に満たない場合、登録を受け入れ、その他の場合、登録を拒否する）ための図７のプロセスを行う。さらに、登録が受け入れられると、ネットワークノード（例えば、ＴＨＦ）はＵＥのためのＡＡにおけるＴＡまたは類似のものの登録に関する情報を記憶する。さらに、いくつかの実施形態では、ネットワークノードは、１つまたは複数の他のネットワークノードに、ＵＥのＡＡに関する情報（例えば、ＵＥのＡＡに登録されたＴＡまたは類似のものに関する情報）を提供してよい。
【００６２】
ネットワークノードおよびＵＥの例示の実施形態
図８は、本開示のいくつかの実施形態によるネットワークノード１０の概略的なブロック図である。ネットワークノード１０は、無線アクセスネットワーク（ＲＡＮ）またはＣＮにおける任意のネットワークノードであってよい。例えば、ネットワークノード１０は、ＲＡＮまたはＴＨＦにおける基地局もしくは他の無線アクセスノード、ＣＨＦ−Ｃ、ＣＨＦ−Ｕ、ＳＤＭ、ＮＧ  ＰＣ、またはＣＮにおけるＥＩＲもしくは同様のものであってよい。示されるように、ネットワークノード１０は、１つまたは複数のプロセッサ１４（例えば、中央処理装置（ＣＰＵ）、特定用途向け集積回路（ＡＳＩＣ）、および／またはフィールドプログラマブルゲートアレイ（ＦＰＧＡ）など）、メモリ１６、およびネットワークインターフェース１８を含む制御システム１２を含む。さらに、ネットワークノード１０が無線アクセスノードである場合、ネットワークノード１０は、１つまたは複数のアンテナ２６に結合された１つまたは複数の送信機２２および１つまたは複数の受信機２４をそれぞれが含む、１つまたは複数の無線ユニット２０を含む。いくつかの実施形態では、無線ユニット２０は、制御システム１２に外付けされ、かつ、例えば、有線接続（例えば、光ケーブル）を介して制御システム１２に接続される。しかしながら、いくつかの他の実施形態では、無線ユニット２０、および場合によってアンテナ２６は、制御システム１２と共に一体化される。１つまたは複数のプロセッサ１４は、本明細書に説明されるように、ネットワークノード１０の１つまたは複数の機能を提供するように動作する。いくつかの実施形態では、機能は、例えば、メモリ１６に記憶されるソフトウェアで実装され、かつ１つまたは複数のプロセッサ１４によって実行される。
【００６３】
図９は、本開示のいくつかの実施形態によるネットワークノード１０の仮想化された実施形態を示す概略的なブロック図である。本明細書において使用される場合、「仮想化」ネットワークノード１０は、ネットワークノード１０の機能性の少なくとも一部が（例えば、ネットワークにおける物理処理ノード上で実行する仮想マシンを介して）仮想コンポーネントとして実装されるネットワークノード１０の実装形態である。示されるように、この例では、ネットワークノード１０は、上述されるように、１つまたは複数のプロセッサ１４（例えば、ＣＰＵ、ＡＳＩＣ、および／またはＦＰＧＡなど）、メモリ１６、およびネットワークインターフェース１８、ならびに、オプションとして、１つまたは複数のアンテナ２６に結合された１つまたは複数の送信機２２および１つまたは複数の受信機２４をそれぞれが含む１つまたは複数の無線ユニット２０を含む、制御システム１２を含む。制御システム１２は、例えば、光ケーブルなどを介して無線ユニット２０に接続される。制御システム１２は、ネットワークインターフェース１８を介してネットワーク３０に結合されるまたはこの一部分として含まれる１つまたは複数の処理ノード２８に接続される。それぞれの処理ノード２８は、１つまたは複数のプロセッサ３２（例えば、ＣＰＵ、ＡＳＩＣ、および／またはＦＰＧＡなど）、メモリ３４、およびネットワークインターフェース３６を含む。
【００６４】
この例では、本明細書に説明されるネットワークノード１０の機能３８は、１つまたは複数の処理ノード２８において実装される、または任意の所望のやり方で制御システム１２および１つまたは複数の処理ノード２８にわたって分散される。いくつかの特定の実施形態では、本明細書に説明されるネットワークノード１０の機能３８の一部または全ては、処理ノード２８によってホストされる仮想環境において実装される１つまたは複数の仮想マシンによって実行される仮想コンポーネントとして実装される。当業者によって理解されるように、処理ノード２８と制御システム１２との間の追加のシグナリングまたは通信は、所望の機能３８の少なくとも一部を実行するために使用される。とりわけ、いくつかの実施形態では、制御システム１２は含まれない場合があり、この場合、無線ユニット２０（含まれる場合）は、適切なネットワークインターフェースを介して処理ノード２８と直接通信する。他の実施形態では、ネットワークノード１０は、ネットワークノード１０が全面的に仮想化されるように、制御システム１２または無線ユニット２０のどちらかを含まない。
【００６５】
いくつかの実施形態では、少なくとも１つのプロセッサによって実行される時、少なくとも１つのプロセッサに、本明細書に説明される実施形態のいずれかによる仮想環境においてネットワークノード１０の機能３８の１つまたは複数を実装するネットワークノード１０またはノード（例えば、処理ノード２８）の機能性を実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（例えば、メモリなどの非一時的なコンピュータ可読媒体）のうちの１つである。
【００６６】
図１０は、本開示のいくつかの他の実施形態によるネットワークノード１０の概略的なブロック図である。ネットワークノード１０は１つまたは複数のモジュール４０を含み、これらのそれぞれはソフトウェアで実装される。モジュール４０は本明細書に説明されるネットワークノード１０の機能性を提供する。この論述は、図９の処理ノード２８に等しく適用可能である。この場合、モジュール４０は処理ノード２８のうちの１つにおいて実装されてよい、または、複数の処理ノード２８にわたって分散されてよい、および／もしくは処理ノード２８および制御システム１２にわたって分散されてよい。例として、モジュール４０は、図７のプロセスを行うように動作可能である１つまたは複数のモジュールを含んでよい。
【００６７】
図１１は、本開示のいくつかの実施形態によるＵＥ４２の概略的なブロック図である。示されるように、ＵＥ４２は、１つまたは複数のプロセッサ４４（例えば、ＣＰＵ、ＡＳＩＣ、および／またはＦＰＧＡ）、メモリ４６、および、１つまたは複数のアンテナ５４に結合された１つまたは複数の送信機５０および１つまたは複数の受信機５２をそれぞれが含む１つまたは複数のトランシーバ４８を含む。いくつかの実施形態では、上述されるＵＥ４２の機能性は、例えば、メモリ４６に記憶され、かつプロセッサ４４によって実行されるソフトウェアにおいて完全にまたは部分的に実装されてよい。
【００６８】
いくつかの実施形態では、少なくとも１つのプロセッサによって実行される時、少なくとも１つのプロセッサに、本明細書に説明される実施形態のいずれかによるＵＥ４２の機能性を実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（例えば、メモリなどの非一時的なコンピュータ可読媒体）のうちの１つである。
【００６９】
図１２は、本開示のいくつかの他の実施形態によるＵＥ４２の概略的なブロック図である。ＵＥ４２は１つまたは複数のモジュール５６を含み、これらはそれぞれソフトウェアで実装される。モジュール５６は本明細書に説明されるＵＥ４２の機能性を提供する。
【００７０】
例示の実施形態
限定はされないが、本開示のいくつかの例示の実施形態が以下に提供される。
【００７１】
１．データサービスがワイヤレスデバイス（４２）に提供される許可エリアの規定を可能にするためのネットワークノード（１０）の動作の方法であって、該許可エリアが、許可エリア内のトラッキングエリアの事前規定された最大数を含む１つまたは複数の基準によって規定されるサイズを有し、方法が、
ワイヤレスデバイス（４２）のアタッチ時に、許可エリアのサイズを規定する１つまたは複数の基準が満たされる限り、ワイヤレスデバイス（４２）の許可エリアに対する新規のトラッキングエリアの登録を受け入れること
を含む、方法。
【００７２】
２．登録を受け入れることは、ワイヤレスデバイス（４２）の許可エリアに対して既に受け入れられているトラッキングエリアの数が許可エリア内のトラッキングエリアの事前規定された最大数に満たない場合、新規のトラッキングの登録を受け入れることを含む、実施形態１の方法。
【００７３】
３．ワイヤレスデバイス（４２）の許可エリアに対して既に受け入れられているトラッキングエリアの数が許可エリア内のトラッキングエリアの事前規定された最大数以上である場合、新規のトラッキングエリアの登録を拒否することをさらに含む、実施形態１または２の方法。
【００７４】
４．ワイヤレスデバイス（４２）のデタッチ時に、ワイヤレスデバイス（４２）の許可エリアを再設定することをさらに含む、実施形態１〜３のいずれか１つの方法。
【００７５】
５．ワイヤレスデバイス（４２）のデタッチ後、ワイヤレスデバイス（４２）の再アタッチ時にワイヤレスデバイス（４２）の許可エリアを再設定することをさらに含む、実施形態１〜３のいずれか１つの方法。
【００７６】
６．ワイヤレスデバイス（４２）の許可エリアの一部はネットワークオペレータによって設定される、実施形態１〜５のいずれか１つの方法。
【００７７】
７．ワイヤレスデバイス（４２）の許可エリアの一部はネットワークノード（１０）によって設定される、実施形態１〜６のいずれか１つの方法。
【００７８】
８．１つまたは複数のトラッキングエリアはネットワークノード（１０）によってワイヤレスデバイス（４２）の許可エリアに追加される、実施形態１〜７のいずれか１つの方法。
【００７９】
９．ワイヤレスデバイス（４２）の許可エリアに関する情報を記憶することをさらに含む、実施形態１〜８のいずれか１つの方法。
【００８０】
１０．ワイヤレスデバイス（４２）の許可エリアに関する情報を別のネットワークノード（１０）に提供することをさらに含む、実施形態１〜９のいずれか１つの方法。
【００８１】
１１．データサービスがワイヤレスデバイス（４２）に提供される許可エリアの規定を可能にするネットワークノード（１０）であって、該許可エリアが、許可エリア内のトラッキングエリアの事前規定された最大数を含む１つまたは複数の基準によって規定されるサイズを有し、ネットワークノード（１０）が、
ワイヤレスデバイス（４２）のアタッチ時に、許可エリアのサイズを規定する１つまたは複数の基準が満たされる限り、ワイヤレスデバイス（４２）の許可エリアに対する新規のトラッキングエリアの登録を受け入れる
ように適応される、ネットワークノード（１０）。
【００８２】
１２．ネットワークノード（１０）は、実施形態２〜１０のいずれか１つの方法に従って動作するようにさらに適応される、実施形態１１のネットワークノード（１０）。
【００８３】
１３．データサービスがワイヤレスデバイス（４２）に提供される許可エリアの規定を可能にするネットワークノード（１０）であって、該許可エリアが、許可エリア内のトラッキングエリアの事前規定された最大数を含む１つまたは複数の基準によって規定されるサイズを有し、ネットワークノード（１０）が、
少なくとも１つのプロセッサ（１４）と、
少なくとも１つのプロセッサ（１４）によって実行可能である命令を記憶することによって、ネットワークノード（１０）が、ワイヤレスデバイス（４２）のアタッチ時に、許可エリアのサイズを規定する１つまたは複数の基準が満たされる限り、ワイヤレスデバイス（４２）の許可エリアに対する新規のトラッキングエリアの登録を受け入れるように動作可能であるメモリ（１６）と、
を含む、ネットワークノード（１０）。
【００８４】
１４．データサービスがワイヤレスデバイス（４２）に提供される許可エリアの規定を可能にするネットワークノード（１０）であって、該許可エリアが、許可エリア内のトラッキングエリアの事前規定された最大数を含む１つまたは複数の基準によって規定されるサイズを有し、ネットワークノード（１０）が、
ワイヤレスデバイス（４２）のアタッチ時に、許可エリアのサイズを規定する１つまたは複数の基準が満たされる限り、ワイヤレスデバイス（４２）の許可エリアに対する新規のトラッキングエリアの登録を受け入れるように動作可能である登録処理モジュール（４０）
を含む、ネットワークノード（１０）。
【００８５】
以下の頭字語は本開示全体を通して使用される。
３ＧＰＰ  第３世代パートナーシッププロジェクト
５Ｇ  第５世代
ＡＡ  許可エリア
ＡＳＩＣ  特定用途向け集積回路
ＣＣ  コア制御
ＣＨＦ  接続ハンドリング機能
ＣＨＦ−Ｃ  制御ハンドリング機能制御プレーン
ＣＨＦ−Ｕ  制御ハンドリング機能ユーザプレーン
ＣＮ  コアネットワーク
ＣＰＵ  中央処理装置
ＤＳＬ  デジタルサブスクライバライン
ＥＤＧＥ  Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ
ＥＩＲ  機器識別レジスタ
ｅＮＢ  拡張またはエボルブドＮｏｄｅ  Ｂ
ＥＰＳ  エボルブドパケットシステム
Ｅ−ＵＴＲＡＮ  拡張ユニバーサル地上無線アクセスネットワーク
ＦＰＧＡ  フィールドプログラマブルゲートアレイ
ＧＥＲＡＮ  Ｇｌｏｂａｌ  Ｓｙｓｔｅｍ  ｆｏｒ  Ｍｏｂｉｌｅ  Ｃｏｍｍｕｎｉｃａｔｉｏｎｓ／Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ無線アクセスネットワーク
ＧＰＲＳ  汎用パケット無線サービス
ＧＳＭ  Ｇｌｏｂａｌ  Ｓｙｓｔｅｍ  ｆｏｒ  Ｍｏｂｉｌｅ  Ｃｏｍｍｕｎｉｃａｔｉｏｎｓ
ＨＬＲ  ホームロケーションレジスタ
ＨＳＳ  ホームサブスクライバサーバ
ＩｏＴ  モノのインターネット
ＬＴＥ  Ｌｏｎｇ  Ｔｅｒｍ  Ｅｖｏｌｕｔｉｏｎ
ＭＭＥ  モビリティ管理エンティティ
ＭＴ  モバイル終端
ＭＴＣ  マシン型通信
ＮＧ  次世代
Ｏ＆Ｍ  運用管理
ＰＣ  ポリシ制御
ＰＣＲＦ  ポリシ課金ルール機能
ＰＤＮ  パケットデータネットワーク
Ｐ−ＧＷ  パケットデータネットワークゲートウェイ
ＲＡＮ  無線アクセスネットワーク
ＳＣＥＦ  Ｓｅｒｖｉｃｅ  Ｃａｐａｂｉｌｉｔｙ  Ｅｘｐｏｓｕｒｅ  Ｆｕｎｃｔｉｏｎ
ＳＤＭ  サブスクライバデータ管理
ＳＧＳＮ  サービング汎用パケット無線サービスサポートノード
Ｓ−ＧＷ  サービングゲートウェイ
ＴＡ  トラッキングエリア
ＴＡＵ  トラッキングエリア更新
ＴＨＦ  トラフィックハンドリング機能
ＴＲ  技術報告
ＵＥ  ユーザ機器
ＵＴＲＡＮ  ユニバーサル地上無線アクセスネットワーク
ＶＰＬＭＮ  訪問先地上波公共移動通信ネットワーク
ＷＩ  作業項目
【００８６】
当業者は、本開示の実施形態に対する改良および修正を認識するであろう。全てのこのような改良および修正は、本明細書に開示される概念の範囲内にあるとみなされる。
【図１】
2019518396.tif 000003
【図２】
2019518396.tif 000004
【図３】
2019518396.tif 000005
【図４】
2019518396.tif 000006
【図５】
2019518396.tif 000007
【図６Ａ】
2019518396.tif 000008
【図６Ｂ】
2019518396.tif 000009
【図６Ｃ】
2019518396.tif 000010
【図６Ｄ】
2019518396.tif 000011
【図６Ｅ】
2019518396.tif 000012
【図６Ｆ】
2019518396.tif 000013
【図６Ｇ】
2019518396.tif 000014
【図６Ｈ】
2019518396.tif 000015
【図６Ｉ】
2019518396.tif 000016
【図７】
2019518396.tif 000017
【図８】
2019518396.tif 000018
【図９】
2019518396.tif 000019
【図１０】
2019518396.tif 000020
【図１１】
2019518396.tif 000021
【図１２】
2019518396.tif 000022
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
データサービスがワイヤレスデバイス（４２）に提供される許可エリアの規定を可能にするためのネットワークノード（１０）の動作の方法であって、前記許可エリアが、前記許可エリア内のトラッキングエリアの事前規定された最大数を指示する１つまたは複数の基準によって規定される最大サイズを有し、前記方法が、
前記ワイヤレスデバイス（４２）がアタッチされると、前記ワイヤレスデバイス（４２）の前記許可エリアに対して既に登録されているトラッキングエリアの数が前記許可エリア内の前記トラッキングエリアの事前規定された最大数に満たない限り、前記ワイヤレスデバイスが新規のトラッキングエリアに登録する時、前記ワイヤレスデバイス（４２）の前記許可エリアに対する前記新規のトラッキングエリアの登録を受け入れることを含む、方法。
【請求項２】
前記ワイヤレスデバイス（４２）の前記許可エリアに対して既に受け入れられている前記トラッキングエリアの数が前記許可エリア内の前記トラッキングエリアの事前規定された最大数以上である場合、新規のトラッキングエリアの登録を拒否することをさらに含む、請求項１に記載の方法。
【請求項３】
前記ワイヤレスデバイス（４２）のデタッチ時に、前記ワイヤレスデバイス（４２）の前記許可エリアを再設定することをさらに含む、請求項１または２に記載の方法。
【請求項４】
前記ワイヤレスデバイス（４２）のデタッチ後、前記ワイヤレスデバイス（４２）の再アタッチ時に前記ワイヤレスデバイス（４２）の前記許可エリアを再設定することをさらに含む、請求項１または２に記載の方法。
【請求項５】
前記ワイヤレスデバイス（４２）の前記許可エリアの一部はネットワークオペレータによって設定される、請求項１から４のいずれか一項に記載の方法。
【請求項６】
前記ワイヤレスデバイス（４２）の前記許可エリアの一部はネットワークノード（１０）によって設定される、請求項１から５のいずれか一項に記載の方法。
【請求項７】
１つまたは複数のトラッキングエリアがネットワークノード（１０）によって前記ワイヤレスデバイス（４２）の前記許可エリアに追加される、請求項１から６のいずれか一項に記載の方法。
【請求項８】
前記ワイヤレスデバイス（４２）の前記許可エリアに関する情報を記憶することをさらに含む、請求項１から７のいずれか一項に記載の方法。
【請求項９】
前記ワイヤレスデバイス（４２）の前記許可エリアに関する情報を別のネットワークノード（１０）に提供することをさらに含む、請求項１から８のいずれか一項に記載の方法。
【請求項１０】
データサービスがワイヤレスデバイス（４２）に提供される許可エリアの規定を可能にするネットワークノード（１０）であって、前記許可エリアが、前記許可エリア内のトラッキングエリアの事前規定された最大数を指示する１つまたは複数の基準によって規定される最大サイズを有し、前記ネットワークノード（１０）が、
前記ワイヤレスデバイス（４２）がアタッチされると、前記ワイヤレスデバイス（４２）の前記許可エリアに対して既に登録されているトラッキングエリアの数が前記許可エリア内の前記トラッキングエリアの事前規定された最大数に満たない限り、前記ワイヤレスデバイスが新規のトラッキングエリアに登録する時、前記ワイヤレスデバイス（４２）の前記許可エリアに対する前記新規のトラッキングエリアの登録を受け入れる
ように動作的に適応される、ネットワークノード（１０）。
【請求項１１】
前記ネットワークノード（１０）は、請求項２から１０のいずれか一項に記載の方法に従って動作するようにさらに適応される、請求項１０に記載のネットワークノード（１０）。
【請求項１２】
データサービスがワイヤレスデバイス（４２）に提供される許可エリアの規定を可能にするネットワークノード（１０）であって、前記許可エリアが、前記許可エリア内のトラッキングエリアの事前規定された最大数を指示する１つまたは複数の基準によって規定される最大サイズを有し、前記ネットワークノード（１０）が、
少なくとも１つのプロセッサ（１４）と、
前記少なくとも１つのプロセッサ（１４）によって実行可能である命令を記憶するメモリ（１６）と、を含み、
これによって、前記ネットワークノード（１０）が、前記ワイヤレスデバイス（４２）がアタッチされると、前記ワイヤレスデバイス（４２）の前記許可エリアに対して既に登録されているトラッキングエリアの数が前記許可エリア内の前記トラッキングエリアの事前規定された最大数に満たない限り、前記ワイヤレスデバイスが新規のトラッキングエリアに登録する時、前記ワイヤレスデバイス（４２）の前記許可エリアに対する前記新規のトラッキングエリアの登録を受け入れるように動作可能である、ネットワークノード（１０）。
【請求項１３】
データサービスがワイヤレスデバイス（４２）に提供される許可エリアの規定を可能にするネットワークノード（１０）であって、前記許可エリアが、前記許可エリア内のトラッキングエリアの事前規定された最大数を指示する１つまたは複数の基準によって規定される最大サイズを有し、前記ネットワークノード（１０）が、
前記ワイヤレスデバイス（４２）のアタッチ時に、前記ワイヤレスデバイス（４２）の前記許可エリアに対して既に登録されているトラッキングエリアの数が前記許可エリア内の前記トラッキングエリアの事前規定された最大数に満たない限り、前記ワイヤレスデバイスが新規のトラッキングエリアに登録する時、前記ワイヤレスデバイス（４２）の前記許可エリアに対する前記新規のトラッキングエリアの登録を受け入れるように動作可能である登録処理モジュール（４０）
を含む、ネットワークノード（１０）。
【国際調査報告】
2019518396.tif 000023
2019518396.tif 000024
2019518396.tif 000025